Podtech/llm-jp-corpus-v4-ja_patent huggingface dataset:
【手続補正書】
【提出日】令和3年3月22日(2021.3.22)
【手続補正１】
【補正対象書類名】特許請求の範囲
【補正対象項目名】全文
【補正方法】変更
【補正の内容】
【特許請求の範囲】
【請求項１】
印刷装置における禁則情報を記憶する記憶手段と、
前記記憶手段に記憶された前記禁則情報の一部を情報処理装置に送信する送信手段と、
前記送信手段が送信した前記禁則情報の一部を受信した前記情報処理装置から、印刷データを受信する受信手段と、
を有することを特徴とする印刷装置。
【請求項２】
前記禁則情報は、前記印刷装置で実施できない設定値の組み合わせを示す情報であることを特徴とする請求項１に記載の印刷装置。
【請求項３】
前記禁則情報は、一つの印刷データに対して設定するできない印刷設定の組み合わせを示す情報であることを特徴とする請求項１に記載の印刷装置。
【請求項４】
前記記憶手段に記憶された前記禁則情報のうち前記送信手段により前記情報処理装置に送信されていない禁則情報の少なくとも一つに基づき、前記受信手段が受信した前記印刷データに、前記印刷装置が実施できない設定値が含まれるかを判定する判定手段を、更に有することを特徴とする請求項１乃至３のいずれか一項に記載の印刷装置。
【請求項５】
前記判定手段は、前記記憶手段に記憶された前記禁則情報に基づき、受信した前記印刷データが、前記印刷装置が実施できない設定値を含むかを判定することを特徴とする請求項４に記載の印刷装置。
【請求項６】
前記送信手段は、前記印刷装置の能力情報と前記禁則情報の一部とを前記情報処理装置に送信することを特徴とする請求項１乃至５のいずれか一項に記載の印刷装置。
【請求項７】
前記受信手段は、前記送信手段が送信した前記禁則情報の一部に基づき、前記印刷装置が実施できない印刷設定を含まないと判定された前記印刷データを受信することを特徴とする請求項１乃至６のいずれか一項に記載の印刷装置。
【請求項８】
前記禁則情報の一部は、前記情報処理装置で設定することのできる設定項目に関する禁則情報であることを特徴とする請求項１乃至７のいずれか一項に記載の印刷装置。
【請求項９】
前記禁則情報の一部は、前記情報処理装置で設定することのできない設定項目に関する禁則情報を含まないことを特徴とする請求項８に記載の印刷装置。
【請求項１０】
前記送信手段は、前記記憶手段に記憶された前記禁則情報のうち、前記一部の禁則情報と異なる禁則情報を前記情報処理装置に送信しないことを特徴とする請求項１乃至９のいずれか一項に記載の印刷装置。
【請求項１１】
前記情報処理装置から所定の情報を受信する他の受信手段を、更に有し、
前記送信手段は、前記他の受信手段が受信した前記所定の情報に基づき特定される前記禁則情報の一部を前記情報処理装置に送信することを特徴とする請求項１乃至１０いずれか一項に記載の印刷装置。
【請求項１２】
前記他の受信手段が受信した前記情報に基づき、前記禁則情報の一部を特定する特定手段を、更に有し、
前記送信手段は、前記特定手段により特定された前記禁則情報の一部を前記情報処理装置に送信することを特徴とする請求項１１に記載の印刷装置。
【請求項１３】
前記所定の情報は、前記情報処理装置のオペレーティングシステムの識別情報であることを特徴とする請求項１１又は１２に記載の印刷装置。
【請求項１４】
前記所定の情報は、前記情報処理装置で設定することができる印刷設定項目を示す情報であることを特徴とする請求項１１又は１２に記載の印刷装置。
【請求項１５】
用紙を収容して給紙する給紙手段を、更に有し、
前記禁則情報の一部は、前記給紙手段に対して設定されている用紙サイズ、または用紙タイプの少なくともいずれかに基づき特定されることを特徴とする請求項１乃至１４のいずれか一項に記載の印刷装置。
【請求項１６】
前記送信手段が送信する禁則情報は、前記情報処理装置で設定される印刷設定に関する禁則情報であることを特徴とする請求項１乃至１５のいずれか一項に記載の印刷装置。
【請求項１７】
情報処理装置と、前記情報処理装置から送信される印刷データに従って印刷を行う印刷装置とを含む印刷システムであって、
前記印刷装置は、
前記印刷装置における禁則情報を記憶する記憶手段と、
前記記憶手段に記憶された前記禁則情報の一部を前記情報処理装置に送信する送信手段と、を有し、
前記情報処理装置は、
前記送信手段が送信した前記禁則情報の一部を受信する受信手段と、
前記受信手段が受信した前記禁則情報の一部に基づき、印刷設定画面の表示を制御する制御手段と、
前記印刷設定画面を介して設定された印刷設定を含む印刷データを前記印刷装置に送信する送信手段と、
を有することを特徴とする印刷システム。
【請求項１８】
禁則情報を記憶する記憶手段を有する印刷装置の制御方法であって、
前記記憶手段に記憶された前記禁則情報の一部を情報処理装置に送信する送信工程と、
前記送信工程において、送信した前記禁則情報の一部を受信した前記情報処理装置から、印刷データを受信する受信工程と、
を有することを特徴とする制御方法。
【請求項１９】
コンピュータを、請求項１乃至１６のいずれか１項に記載の印刷装置の各手段の全てとして機能させるためのプログラム。
【手続補正２】
【補正対象書類名】明細書
【補正対象項目名】００１０
【補正方法】変更
【補正の内容】
【００１０】
上記目的を達成するために本発明の一態様に係る印刷装置は以下のような構成を備える。即ち、
印刷装置における禁則情報を記憶する記憶手段と、
前記記憶手段に記憶された前記禁則情報の一部を情報処理装置に送信する送信手段と、
前記送信手段が送信した前記禁則情報の一部を受信した前記情報処理装置から、印刷データを受信する受信手段と、を有することを特徴とする。
【手続補正３】
【補正対象書類名】明細書
【補正対象項目名】００２５
【補正方法】変更
【補正の内容】
【００２５】
ＩＰＰプリントサービス制御部３１５は、エンジン制御部３１４から取得する印刷部２２０の能力情報、及び印刷設定の禁則情報を情報処理装置に通知する。この能力情報には、利用可能な用紙サイズや用紙種類、片面／両面、ステイプル、パンチなどのフィニッシング設定など、通常の印刷設定画面に表示する詳細仕様を含む。本実施形態の属性情報は、能力情報を含みうる。また禁則情報は、印刷装置１０１の能力情報と、情報処理装置がサポートする印刷設定機能と禁則情報に基づき生成される。
【手続補正４】
【補正対象書類名】明細書
【補正対象項目名】００５０
【補正方法】変更
【補正の内容】
【００５０】
ジョブ制御部３０７は、禁則判定部３２１を含んでいる。禁則判定部３２１は、印刷装置１０１のジョブ属性保存部３０８及びページ属性保存部３１１に保存された設定値を監視し、各パラメータが禁則条件ＤＢ３１９の条件を満たすか検証する。禁則条件ＤＢ３１９の条件を満たす場合、印刷処理を中断する。また当該禁則条件に関して図８（Ａ）のＢ列にある禁則実績を更新し、次回以降の情報処理装置からの禁則情報の問い合わせで通知するように修正する。
【手続補正書】
【提出日】令和3年1月25日(2021.1.25)
【手続補正１】
【補正対象書類名】特許請求の範囲
【補正対象項目名】全文
【補正方法】変更
【補正の内容】
【特許請求の範囲】
【請求項１】
記録媒体上にインクを吐出する記録ヘッドと、
前記記録ヘッドに液体を供給する供給ユニットと、
前記供給ユニットと前記記録ヘッドとを接続し、前記供給ユニットから前記記録ヘッドに供給される前記液体が通過する供給経路と、
前記記録ヘッドと前記供給ユニットとを接続し、前記記録ヘッドから前記供給ユニットに戻る前記液体が通過する循環経路と、
を備え、
前記供給経路には、前記供給経路を分離および接続可能な供給カップリングが設けられており、
前記循環経路には、前記循環経路を分離および接続可能な循環カップリングが設けられており、
前記供給経路の前記供給カップリングに対して上流側の部分と前記循環経路の前記循環カップリングに対して下流側の部分とは、連通および遮断可能に構成されたバイパス経路によって接続されていることを特徴とするインクジェット記録装置。
【請求項２】
前記供給ユニットは、補給容器から補給される前記液体を収容する液体タンクと、前記補給容器と前記液体タンクとを接続する補給経路と、前記液体タンクから前記液体が供給され、前記液体を前記記録ヘッドに送る送液ポンプと、前記液体タンクと前記送液ポンプとを接続する送液経路と、を含み、
前記供給経路は、前記送液ポンプと前記記録ヘッドとを接続し、
前記循環経路は、前記記録ヘッドと前記補給経路とを接続することを特徴とする請求項１に記載のインクジェット記録装置。
【請求項３】
前記バイパス経路には、前記バイパス経路を連通および遮断する切替部材が設けられていることを特徴とする請求項１または２に記載のインクジェット記録装置。
【請求項４】
前記循環経路には、前記記録ヘッドから排出される液状の物質が通過する排出経路が接続されていることを特徴とする請求項１〜３のいずれか１項に記載のインクジェット記録装置。
【請求項５】
前記液体は、インクであることを特徴とする請求項１〜４のいずれか１項に記載のインクジェット記録装置。
【手続補正書】
【提出日】令和2年11月19日(2020.11.19)
【手続補正１】
【補正対象書類名】特許請求の範囲
【補正対象項目名】全文
【補正方法】変更
【補正の内容】
【特許請求の範囲】
【請求項１】
抽選手段による抽選結果に基づいて遊技を進行するとともに、
複数の発光体が実装される装飾基板を有する複数の装飾部を備える遊技機であって、
発光体を発光させる発光手段は、演出制御部から発光体を駆動する発光体駆動回路に対して、発光体駆動データを送信し、
さらに前記発光手段は、前記発光体駆動回路に向けて送信される前記発光体駆動データを所定の時間毎に送信可能であり、
前記装飾基板のうちの第１特定装飾基板は、前記装飾基板のうちの第２特定装飾基板と電気的に接続され、
前記第２特定装飾基板に実装される複数の発光体は、前記第１特定装飾基板から受け取る発光体駆動データにより発光可能であり、
前記第１特定装飾基板及び前記第２特定装飾基板は、それぞれ発光体が実装される第１実装面と発光体が実装されない第２実装面を有し、
前記第１特定装飾基板の第１実装面及び前記第２特定装飾基板の第１実装面は、白色塗膜が略全面に形成されると共に、該白色塗膜の上に黄色で形成されて複数の発光体をそれぞれ特定可能な特別表記部を有し、
前記第１特定装飾基板の第２実装面及び前記第２特定装飾基板の第２実装面には、白色と異なる色の外装を備える電子部品が実装される、
ことを特徴とする遊技機。
【手続補正２】
【補正対象書類名】明細書
【補正対象項目名】０００２
【補正方法】変更
【補正の内容】
【０００２】
従来、発光手段が実装される装飾基板が取り付けられた遊技機が提案されている（例えば、特許文献１）。このような発光手段による発光演出を用いたバリエーションのある演出を遊技者に提供している。
【手続補正３】
【補正対象書類名】明細書
【補正対象項目名】０００３
【補正方法】変更
【補正の内容】
【０００３】
【特許文献１】特開２０１６−１５４６７６号公報（段落［００１９］、図５）
【手続補正４】
【補正対象書類名】明細書
【補正対象項目名】０００４
【補正方法】変更
【補正の内容】
【０００４】
しかしながら、近年では、発光演出にて遊技興趣の低下を抑制する新たな実施態様が望まれている実情にある。
【手続補正５】
【補正対象書類名】明細書
【補正対象項目名】０００５
【補正方法】変更
【補正の内容】
【０００５】
本発明は、このような事情に鑑みてなされたものであり、その目的とするところは、遊技興趣の低下を抑制することができる遊技機を提供することにある。
【手続補正６】
【補正対象書類名】明細書
【補正対象項目名】０００６
【補正方法】変更
【補正の内容】
【０００６】
上記の目的を達成するために、本発明は、
抽選手段による抽選結果に基づいて遊技を進行するとともに、
複数の発光体が実装される装飾基板を有する複数の装飾部を備える遊技機であって、
発光体を発光させる発光手段は、演出制御部から発光体を駆動する発光体駆動回路に対して、発光体駆動データを送信し、
さらに前記発光手段は、前記発光体駆動回路に向けて送信される前記発光体駆動データを所定の時間毎に送信可能であり、
前記装飾基板のうちの第１特定装飾基板は、前記装飾基板のうちの第２特定装飾基板と電気的に接続され、
前記第２特定装飾基板に実装される複数の発光体は、前記第１特定装飾基板から受け取る発光体駆動データにより発光可能であり、
前記第１特定装飾基板及び前記第２特定装飾基板は、それぞれ発光体が実装される第１実装面と発光体が実装されない第２実装面を有し
前記第１特定装飾基板の第１実装面及び前記第２特定装飾基板の第１実装面は、白色塗膜が略全面に形成されると共に、該白色塗膜の上に黄色で形成されて複数の発光体をそれぞれ特定可能な特別表記部を有し、
前記第１特定装飾基板の第２実装面及び前記第２特定装飾基板の第２実装面には、白色と異なる色の外装を備える電子部品が実装される、
ことを特徴とする遊技機。
また、本発明とは別の発明として、以下の手段を参考的に開示する。
【手続補正７】
【補正対象書類名】明細書
【補正対象項目名】００１６
【補正方法】変更
【補正の内容】
【００１６】
本発明の遊技機においては、遊技興趣の低下を抑制することができる。
【手続補正書】
【提出日】令和3年2月19日(2021.2.19)
【手続補正１】
【補正対象書類名】特許請求の範囲
【補正対象項目名】全文
【補正方法】変更
【補正の内容】
【特許請求の範囲】
【請求項１】
空気を吸い込む吸込口と、
前記吸込口より吸い込まれた空気を吹き出す吹出口と、
前記吸込口と前記吹出口との間の風路内に設けられ、水を微細化する液体微細化室と、を備え、
前記液体微細化室は、
回転モータにより回転され、鉛直方向に向けて配置された回転軸と、
下方に揚水口を備えると共に上方が前記回転軸に固定され、前記回転軸の回転に合わせて回転されることにより前記揚水口より揚水し、揚水した水を遠心方向に放出する筒状の揚水管と、
前記揚水管により放出された水が衝突することにより、前記水を微細化する衝突壁と、
前記揚水管の鉛直方向下方に設けられ、前記揚水口より揚水するための水を貯水する貯水部と、
前記衝突壁と付着し落下する水を受け止める横といと、
前記横といで受け止められた水を前記貯水部へ案内する縦といと、
前記衝突壁の下方で前記横といと接触して設けられ、微細化された水のうち水滴を捕集するエリミネータと、を備えたことを特徴とする液体微細化装置。
【請求項２】
前記エリミネータは、前記縦といと接触して設けられることを特徴とする請求項１に記載の液体微細化装置。
【請求項３】
前記エリミネータは、前記風路に対して前記エリミネータの下流側側面が、前記縦といと接触して設けられることを特徴とする請求項２に記載の液体微細化装置。
【請求項４】
前記エリミネータは、前記エリミネータ内に前記縦といを埋没させて設けられることを特徴とする請求項２に記載の液体微細化装置。
【請求項５】
前記エリミネータは、前記風路において前記エリミネータ内の下流側に前記縦といを埋没させて設けられることを特徴とする請求項４に記載の液体微細化装置。
【請求項６】
前記横といは、その横といで受け止められた水が前記縦といに向けて流れるように傾斜
が設けられていることを特徴とする請求項１から５のいずれか一項に記載の液体微細化装置。
【請求項７】
前記縦といは、前記横といから前記貯水部に向けて複数設けられることを特徴とする請求項１から６のいずれか一項に記載の液体微細化装置。
【請求項８】
前記水は、次亜塩素酸水であることを特徴とする請求項１から５のいずれか一項に記載の液体微細化装置。
【請求項９】
請求項１から７のいずれか一項に記載の液体微細化装置を備えたことを特徴とする空気清浄機。
【手続補正２】
【補正対象書類名】明細書
【補正対象項目名】発明の名称
【補正方法】変更
【補正の内容】
【発明の名称】液体微細化装置及びそれを用いた空気清浄機
【手続補正３】
【補正対象書類名】明細書
【補正対象項目名】０００１
【補正方法】変更
【補正の内容】
【０００１】
本発明は、液体微細化装置及びそれを用いた空気清浄機に関する。
【手続補正４】
【補正対象書類名】明細書
【補正対象項目名】０００６
【補正方法】変更
【補正の内容】
【０００６】
本発明は、上記課題を解決するためになされたものであり、エリミネータにより水滴を捕集しつつ、加湿性能の制御性を向上できる液体微細化装置及びそれを用いた空気清浄機を提供することを目的とする。
【手続補正５】
【補正対象書類名】明細書
【補正対象項目名】０００７
【補正方法】変更
【補正の内容】
【０００７】
この目的を達成するために、本発明の液体微細化装置は、空気を吸い込む吸込口と、吸込口より吸い込まれた空気を吹き出す吹出口と、吸込口と吹出口との間の風路内に設けられ、水を微細化する液体微細化室と、を備え、液体微細化室は、回転モータにより回転され、鉛直方向に向けて配置された回転軸と、下方に揚水口を備えると共に上方が回転軸に固定され、回転軸の回転に合わせて回転されることにより揚水口より揚水し、揚水した水を遠心方向に放出する筒状の揚水管と、揚水管により放出された水が衝突することにより、水を微細化する衝突壁と、揚水管の鉛直方向下方に設けられ、揚水口より揚水される水を貯水する貯水部と、衝突壁と付着し落下する水を受け止める横といと、横といで受け止められた水を貯水部へ案内する縦といと、衝突壁の下方で横といと接触して設けられ、微細化された水のうち水滴を捕集するエリミネータと、を備えたものである。
【手続補正６】
【補正対象書類名】明細書
【補正対象項目名】０００８
【補正方法】変更
【補正の内容】
【０００８】
また、本発明の空気清浄機は、本発明の液体微細化装置を備えたものである。
【手続補正７】
【補正対象書類名】明細書
【補正対象項目名】０００９
【補正方法】変更
【補正の内容】
【０００９】
本発明の液体微細化装置及びそれを用いた空気清浄機によれば、衝突壁と付着して落下する水が、横といにて受け止められて縦といにて貯水部へ案内されるので、その水が衝突壁の下方に設けられたエリミネータへ落下することを抑制できる。また、エリミネータにて捕集された水滴の一部は、風圧によって風路の下流側かつエリミネータの上方へと移動するが、その水滴をエリミネータと接触する横といに付着させ、縦といに沿って貯水部へと落下させることができる。これにより、エリミネータが過剰に水濡れすることを抑制でき、エリミネータ上での水の気化量が大きくなることを抑制できる。よって、エリミネータにより水滴を捕集しつつ、加湿性能の制御性を向上できるという効果がある。
【手続補正８】
【補正対象書類名】明細書
【補正対象項目名】００３１
【補正方法】変更
【補正の内容】
【００３１】
内筒６は、衝突壁１２の下端にてその衝突壁１２と付着し落下する水を受け止める横とい２１を備える。横とい２１は、図３に示す通り、衝突壁１２の下端にて内筒６の内側に向かって延びる底２１ａと、衝突壁１２と対向する位置に底から上方に向かって延びる側壁２１ｂとにより構成され、衝突壁１２の全周にわたって形成される。
【手続補正９】
【補正対象書類名】明細書
【補正対象項目名】００４０
【補正方法】変更
【補正の内容】
【００４０】
また、エリミネータ１９にて捕集された水滴のうち別の水滴３２も、図５に示す通り、液体微細化室５から風路１７に向けて流れる風の風圧によって、風路１５〜１７の下流側へと移動する。液体微細化装置５０は、エリミネータ１９の下流側側面（外周面）が縦とい２２と接触して設けられており、水滴３２のうち一部は、縦とい２２において風路１５〜１７に対して上流側に向けられた開口から縦とい２２内に入り、貯水部４へと案内される。また、水滴３２の残りの一部は、表面張力によって縦とい２２の側壁２２ｂの外側部分に付着され、貯水部４へと案内される。これにより、エリミネータ１９により捕集された水滴３２が、風圧によってエリミネータ１９の下流側側面（外周面）から飛散することを抑制できる。また、エリミネータ１９にて捕集された水滴３２を効率よく貯水部４へと落下させることができるので、エリミネータ１９が捕集した水滴３２で過剰に水濡れすることを抑制できる。
【手続補正書】
【提出日】令和3年2月19日(2021.2.19)
【手続補正１】
【補正対象書類名】特許請求の範囲
【補正対象項目名】全文
【補正方法】変更
【補正の内容】
【特許請求の範囲】
【請求項１】
空気を吸い込む吸込口と、
前記吸込口より吸い込まれた空気を吹き出す吹出口と、
前記吸込口と前記吹出口との間の風路内に設けられ、水を微細化する液体微細化室と、を備え、
前記液体微細化室は、
回転モータにより回転され、鉛直方向に向けて配置された回転軸と、
下方に揚水口を備えると共に上方が前記回転軸に固定され、前記回転軸の回転に合わせて回転されることにより前記揚水口より揚水し、揚水した水を遠心方向に放出する筒状の揚水管と、
前記揚水管により放出された水が衝突することにより、前記水を微細化する衝突壁と、
前記揚水管の鉛直方向下方に設けられ、前記揚水口より揚水するための水を貯水する貯水部と、
前記衝突壁の下方に設けられ、微細化された水のうち水滴を捕集するエリミネータと、を備え、
前記エリミネータの下流側風路の壁面の一部を湾曲して形成されたガイド部と、を備えることを特徴とする液体微細化装置。
【請求項２】
前記エリミネータの上方に設けられ、前記衝突壁から前記液体微細化室内方向に突出し前記エリミネータの上方を覆う突出部を備えることを特徴とする請求項１に記載の液体微細化装置。
【請求項３】
前記ガイド部の上端が前記エリミネータの上端よりも高い位置に設けられたことを特徴とする請求項１または２に記載の液体微細化装置。
【請求項４】
前記ガイド部の上端が前記エリミネータの上端と略同一の高さとなるように設けられたことを特徴とする請求項１または２に記載の液体微細化装置。
【請求項５】
前記エリミネータの下端と接し、前記貯水部に向けて傾斜した底部を備え、
前記突出部と前記底部とが略平行となるように設けられたことを特徴とする請求項１から４のいずれか一項に記載の液体微細化装置。
【請求項６】
前記水は、次亜塩素酸水であることを特徴とする請求項１から５のいずれか一項に記載の液体微細化装置。
【請求項７】
請求項１から６のいずれか一項に記載の液体微細化装置を備えたことを特徴とする空気清浄機。
【手続補正２】
【補正対象書類名】明細書
【補正対象項目名】発明の名称
【補正方法】変更
【補正の内容】
【発明の名称】液体微細化装置及びそれを用いた空気清浄機
【手続補正３】
【補正対象書類名】明細書
【補正対象項目名】０００１
【補正方法】変更
【補正の内容】
【０００１】
本発明は、液体微細化装置及びそれを用いた空気清浄機に関する。
【手続補正４】
【補正対象書類名】明細書
【補正対象項目名】０００６
【補正方法】変更
【補正の内容】
【０００６】
本発明は、上記課題を解決するためになされたものであり、運転終了後の内部乾燥時間を短縮でき、菌やカビの発生を抑制できる液体微細化装置及びそれを用いた空気清浄機を提供することを目的とする。
【手続補正５】
【補正対象書類名】明細書
【補正対象項目名】０００７
【補正方法】変更
【補正の内容】
【０００７】
この目的を達成するために、本発明の液体微細化装置は、空気を吸い込む吸込口と、吸込口より吸い込まれた空気を吹き出す吹出口と、吸込口と吹出口との間の風路内に設けられ、水を微細化する液体微細化室と、を備え、液体微細化室は、回転モータにより回転され、鉛直方向に向けて配置された回転軸と、下方に揚水口を備えると共に上方が回転軸に固定され、回転軸の回転に合わせて回転されることにより揚水口より揚水し、揚水した水を遠心方向に放出する筒状の揚水管と、揚水管により放出された水が衝突することにより、水を微細化する衝突壁と、揚水管の鉛直方向下方に設けられ、揚水口より揚水するための水を貯水する貯水部と、衝突壁の下方に設けられ、微細化された水のうち水滴を捕集するエリミネータと、を備え、エリミネータの下流側風路の壁面の一部を湾曲して形成されたガイド部と、を備えたものである。
【手続補正６】
【補正対象書類名】明細書
【補正対象項目名】０００８
【補正方法】変更
【補正の内容】
【０００８】
また、本発明の空気清浄機は、本発明の液体微細化装置を備えたものである。
【手続補正７】
【補正対象書類名】明細書
【補正対象項目名】０００９
【補正方法】変更
【補正の内容】
【０００９】
本発明の液体微細化装置及びそれを用いた空気清浄機によれば、エリミネータの下流側風路の壁面に湾曲して形成されたガイド部が設けられているので、エリミネータより飛散し下流側風路の壁面に付着した水滴を、ガイド部より下方へ落下させ易くできる。また、エリミネータから吹出された空気を、湾曲して形成されたガイド部の壁面に沿って流すことができるので、その壁面を乾燥させやすくできる。従って、運転終了後の内部乾燥時間を短縮でき、菌やカビの発生を抑制できるという効果がある。
【手続補正書】
【提出日】令和3年3月23日(2021.3.23)
【手続補正１】
【補正対象書類名】特許請求の範囲
【補正対象項目名】全文
【補正方法】変更
【補正の内容】
【特許請求の範囲】
【請求項１】
抽選対象となる各キャラクターに対応付けてユーザーがキャラクターを指定するときに役立つ情報となる有益データが設定された抽選情報を記憶する抽選情報記憶部と、
抽選対象となる複数のキャラクターの中から一部のキャラクターを決定する抽選部と、
前記一部のキャラクターそれぞれの有益データをキャラクター間で比較可能に表示した画面においてユーザーによっていずれかのキャラクターを指定する操作が行われたことにより、指定された前記キャラクターを前記ユーザーに付与する付与部と、
を備えたことを特徴とする情報処理装置。
【手続補正２】
【補正対象書類名】明細書
【補正対象項目名】発明の名称
【補正方法】変更
【補正の内容】
【発明の名称】情報処理装置
【手続補正書】
【提出日】令和3年3月25日(2021.3.25)
【手続補正１】
【補正対象書類名】明細書
【補正対象項目名】００８８
【補正方法】変更
【補正の内容】
【００８８】
２００…リボンカートリッジ、２０５…第２繰出しコア、２０７…第２巻取りコア、２１３…第２インクリボン、２１７…第２リボンコア収容部、２１９…第２ヘッド挿入部、２２１…第２リボン露出部、２３１…摘み部、２３３…手前側壁部、２３５…第１周壁部、２３７…手前側繰出しボス、２３９…手前側巻取り開口、２４１…手前側第１壁部、２４３…手前側第２壁部、２４５…手前側第３壁部、２４７…手前側第４壁部、２４９…第２周壁凹部、２５１…第４周壁凹部、２５５…第１平坦部、２５７…第２平坦部、２５９…第３周壁凹部、２６１…手前側第１部分壁部、２６３…手前側第２部分壁部、２６５…手前側第３部分壁部、２６７…第１周壁凹部、２７７…繰出し側筒部、２７９…巻取り側筒部。
【手続補正書】
【提出日】令和3年1月25日(2021.1.25)
【手続補正１】
【補正対象書類名】特許請求の範囲
【補正対象項目名】全文
【補正方法】変更
【補正の内容】
【特許請求の範囲】
【請求項１】
基材の一方の面上に、転写層が設けられ、
前記転写層は、保護層のみからなる単層構造、又は前記基材側から最も近くに保護層が位置する積層構造を呈し、
前記保護層が、スチレン樹脂、及び粒子状の有機フッ素化合物を含有しており、
前記粒子状の有機フッ素化合物の粒径が、２μｍ以上５μｍ以下であり、
前記保護層の総質量に対する、前記粒子状の有機フッ素化合物の含有量が２質量％以上３５質量％以下である、
保護層転写シート。
【請求項２】
基材の一方の面上に、転写層が設けられ、
前記転写層は、保護層のみからなる単層構造、又は前記基材側から最も近くに保護層が位置する積層構造を呈し、
前記保護層が、（１）スチレン樹脂と、（２）塩化ビニル−酢酸ビニル共重合体、及びガラス転移温度（Ｔｇ）が６０℃以下の樹脂の何れか一方、又は双方と、（３）粒子状の有機フッ素化合物と、を含有している、
保護層転写シート。
【請求項３】
前記スチレン樹脂が、スチレン−アクリル共重合体である、
請求項１又は２に記載の保護層転写シート。
【手続補正２】
【補正対象書類名】明細書
【補正対象項目名】０００７
【補正方法】変更
【補正の内容】
【０００７】
本開示の実施の形態に係る保護層転写シートは、基材の一方の面上に、転写層が設けられ、前記転写層は、保護層のみからなる単層構造、又は前記基材側から最も近くに保護層が位置する積層構造を呈し、前記保護層が、スチレン樹脂、及び粒子状の有機フッ素化合物を含有しており、前記粒子状の有機フッ素化合物の粒径が、２μｍ以上５μｍ以下であり、前記保護層の総質量に対する、前記粒子状の有機フッ素化合物の含有量が２質量％以上３５質量％以下である。
本開示の実施の形態に係る保護層転写シートは、基材の一方の面上に、転写層が設けられ、前記転写層は、保護層のみからなる単層構造、又は前記基材側から最も近くに保護層が位置する積層構造を呈し、前記保護層が、（１）スチレン樹脂と、（２）塩化ビニル−酢酸ビニル共重合体、及びガラス転移温度（Ｔｇ）が６０℃以下の樹脂の何れか一方、又は双方と、（３）粒子状の有機フッ素化合物と、を含有している。
また、一実施形態の保護層転写シートは、基材の一方の面上に、転写層が設けられ、前記転写層は、保護層のみからなる単層構造、又は基材側から最も近くに前記保護層が位置する積層構造を呈し、前記保護層が、スチレン樹脂、及び粒子状の有機フッ素化合物を含有している。
【手続補正書】
【提出日】令和3年3月26日(2021.3.26)
【手続補正１】
【補正対象書類名】特許請求の範囲
【補正対象項目名】全文
【補正方法】変更
【補正の内容】
【特許請求の範囲】
【請求項１】
液体を吐出して記録を行う記録手段と、
前記記録手段へ供給される液体を貯留する液体貯留部と、
前記液体貯留部から前記記録手段へ液体を供給する供給手段と、
前記記録手段と前記供給手段とを接続するための第一ジョイント手段及び第二ジョイント手段と
前記第一ジョイント手段と前記第二ジョイント手段とを保持するホルダ手段と、を備えた記録装置において、
前記第一ジョイント手段と前記第二ジョイント手段とは、前記ホルダ手段に対して移動可能に保持されていることを特徴とする記録装置。
【請求項２】
前記第一ジョイント手段は、前記記録手段に液体を供給するための第一ジョイント開口と、前記記録手段に対する前記第一ジョイント手段の位置決めを行う第一位置決め開口と、を備えていることを特徴とする請求項１に記載の記録装置。
【請求項３】
前記第一ジョイント開口は、複数の第一ジョイント開口であり、前記第一位置決め開口は、複数の第一位置決め開口であることを特徴とする請求項２に記載の記録装置。
【請求項４】
前記第二ジョイント手段は、前記記録手段から液体を回収するための第二ジョイント開口と、前記記録手段に対する前記第二ジョイント手段の位置決めを行う第二位置決め開口と、を備えていることを特徴とする請求項１または請求項２に記載の記録装置。
【請求項５】
前記第二ジョイント開口は、複数の第二ジョイント開口であり、前記第二位置決め開口は、複数の第二位置決め開口であることを特徴とする請求項４に記載の記録装置。
【請求項６】
前記ホルダ手段は、前記第一ジョイント手段と前記第二ジョイント手段との間に、前記記録手段に対して前記ホルダ手段を移動させる移動手段を備えていることを特徴とする請求項１ないし請求項５にいずれか１項に記載の記録装置。
【請求項７】
前記移動手段は、ねじ部を備え、前記移動手段が回転することで前記ホルダ手段が移動することを特徴とする請求項６に記載の記録装置。
【請求項８】
前記第一ジョイント手段と前記第二ジョイント手段とは、前記移動手段から略同じ距離の位置に配置されていることを特徴とする請求項６または請求項７に記載の記録装置。
【請求項９】
前記記録手段は、前記記録装置に対して着脱可能に挿入されており、前記記録手段の前記第一ジョイント手段および前記第二ジョイント手段との接続部は、前記記録手段における挿入方向奥側に設けられていることを特徴とする請求項１ないし請求項８のいずれか１項に記載の記録装置。
【請求項１０】
前記供給手段は、前記液体貯留部から前記記録手段へ液体を加圧供給することを特徴とする請求項１から９のいずれか１項に記載の記録装置。
【手続補正書】
【提出日】令和3年3月26日(2021.3.26)
【手続補正１】
【補正対象書類名】特許請求の範囲
【補正対象項目名】全文
【補正方法】変更
【補正の内容】
【特許請求の範囲】
【請求項１】
外部とインクの受け渡しが可能な開口と、前記開口から供給されたインクを吐出する吐出口と、を備えた記録ヘッドであって、
前記開口の開閉が可能であり、前記記録ヘッドによる記録が可能な記録装置に前記記録ヘッドが挿入されることで開くシャッタと、
を備えていることを特徴とする記録ヘッド。
【請求項２】
前記シャッタを閉じた状態で前記開口の位置を案内可能なガイド部材を備えることを特徴とする請求項１に記載の記録ヘッド。
【請求項３】
前記開口は、ニードルの先端に設けられ、前記記録ヘッドにインクを供給する供給口と前記記録ヘッドからインクを回収する回収口とであることを特徴とする請求項１または請求項２に記載の記録ヘッド。
【請求項４】
前記供給口は、インクの色に対応した複数の供給口であり、前記回収口は、インクの色に対応した複数の回収口であることを特徴とする請求項３に記載の記録ヘッド。
【請求項５】
前記ガイド部材は、棒状の部材であり、先端部にはテーパが設けられていることを特徴とする請求項２に記載の記録ヘッド。
【請求項６】
前記開口は、前記記録ヘッドの挿入方向における下流端部に設けられていることを特徴とする請求項１ないし請求項５のいずれか１項に記載の記録ヘッド。
【請求項７】
前記シャッタは、バネによって前記記録ヘッドの挿入方向に付勢されることで前記開口を閉じることを特徴とする請求項１ないし請求項６のいずれか１項に記載の記録ヘッド。
【請求項８】
前記シャッタは前記記録ヘッドの挿入方向と交差する方向に突出したフックを備えており、前記記録ヘッドを前記記録装置に挿入すると、前記フックが前記記録装置に設けられた突起と当接することで、前記バネによる付勢に抗して前記シャッタが開くことを特徴とする請求項７に記載の記録ヘッド。
【請求項９】
前記ガイド部材は前記記録ヘッドと接続されるジョイントのジョイント部と接続可能であり、前記開口は前記ジョイントの位置決め部と接続可能であることを特徴とする請求項２または５に記載の記録ヘッド。
【請求項１０】
前記吐出口は、搬送される記録媒体の幅方向に配列されていることを特徴とする請求項１ないし請求項９のいずれか１項に記載の記録ヘッド。
【請求項１１】
外部とインクの受け渡しが可能な開口と、前記開口から供給されたインクを吐出する吐出口と、を備えた記録ヘッドを用いて記録を行う記録装置であって、
前記記録ヘッドは、前記開口の開閉が可能であり前記記録ヘッドによる記録が可能な記録装置に前記記録ヘッドを挿入することで開くシャッタと、
前記シャッタを閉じた状態で前記開口の位置を案内可能なガイド部材と、を備えていることを特徴とする記録装置。
【請求項１２】
記録媒体を搬送する搬送手段と、前記搬送手段によって搬送される記録媒体に記録する請求項１ないし請求項１０のいずれか１項に記載の記録ヘッドと、を備えることを特徴とする記録装置。
【手続補正２】
【補正対象書類名】明細書
【補正対象項目名】０００７
【補正方法】変更
【補正の内容】
【０００７】
そのため本発明の記録ヘッドは、外部とインクの受け渡しが可能な開口と、前記開口から供給されたインクを吐出する吐出口と、を備えた記録ヘッドであって、前記開口の開閉が可能であり、前記記録ヘッドによる記録が可能な記録装置に前記記録ヘッドが挿入されることで開くシャッタと、を備えていることを特徴とする記録ヘッド。
【手続補正書】
【提出日】令和3年2月12日(2021.2.12)
【手続補正１】
【補正対象書類名】明細書
【補正対象項目名】００１９
【補正方法】変更
【補正の内容】
【００１９】
ポンプ室１３内は、第２ケーシング１１ｂに形成された吸入穴（図示せず）を通じて吸入室２１と連通し、吸入室２１は、図１，３に示すように、吸入管２３を通じて燃料タンク４内と連通している。
【手続補正２】
【補正対象書類名】明細書
【補正対象項目名】００２０
【補正方法】変更
【補正の内容】
【００２０】
この吸入穴には板バネからなる吸入弁２０が開閉可能に設けられ、吸入弁２０は、ポンプ室１３内が減圧状態となると開弁して、燃料タンク４内の液体燃料が、吸入管２３、吸入室２１、吸入弁２０を通ってポンプ室１３内に流入し、また、ポンプ室１３内が加圧状態となると閉弁する逆止弁で構成され、液体燃料が、ポンプ室１３から吸入室２１へ逆流することを抑止している。なお、吸入弁２０は、板バネ以外にも、吸入穴を開閉することができれる任意の部材で構成することができる。
【手続補正３】
【補正対象書類名】明細書
【補正対象項目名】００３７
【補正方法】変更
【補正の内容】
【００３７】
上記の構成により、本発明の燃料供給装置１においては、エンジン３の運転中に変動室１８内に脈動を発生させることができるとともに、エンジン３の回転数が変化しても、常に、変動室１８内で発生させた脈動を利用して、作動室１２内に対して所定以上の圧力変動を生じさせ、燃料供給用ダイアフラム１４を撓み振動させ、ポンプ室１３内に加圧状態と減圧状態を交互に繰り返し生じさせることで、燃料タンク４内の燃料を補助タンク５へと供給することができる。
【手続補正４】
【補正対象書類名】明細書
【補正対象項目名】００４２
【補正方法】変更
【補正の内容】
【００４２】
なお、本発明の燃料供給部２は、４サイクルエンジン以外においても、燃料噴射部を有する２サイクルエンジン等の内燃機関に用いることができ、特に、エンジン３に対して、燃料タンク４を取外すことができる、船外機などの汎用エンジンに対して好適に用いることができる。
【手続補正５】
【補正対象書類名】明細書
【補正対象項目名】００４３
【補正方法】変更
【補正の内容】
【００４３】
また、本発明を、燃料噴射部を有するエンジンに燃料供給装置１を適用したが、気化器を有するエンジンに適用し、燃料供給部２により、燃料タンク４内の液体燃料を気化器のフロート室に供給し、このフロート室を被燃料供給部としてもよい。
【手続補正書】
【提出日】令和3年4月13日(2021.4.13)
【手続補正１】
【補正対象書類名】特許請求の範囲
【補正対象項目名】全文
【補正方法】変更
【補正の内容】
【特許請求の範囲】
【請求項１】
１または複数の熱機関または燃料電池と、
前記熱機関または燃料電池からの排ガスの熱によって蒸気を加熱する第１熱交換器及び前記第１熱交換器へ供給する蒸気を加熱する第１予熱器を有する第１ボイラと、
前記第１ボイラで加熱された蒸気によって駆動する第１蒸気タービンと、
前記第１熱交換器と前記第１蒸気タービンとを接続し、前記第１ボイラで加熱された蒸気を前記第１蒸気タービンに導く第１蒸気配管と、
前記熱機関または燃料電池からの排ガスの熱によって前記第１蒸気タービンから排出された蒸気を加熱する第２熱交換器及び前記第１熱交換器へ供給する蒸気を加熱する第２予熱器を有し、前記第１ボイラとは異なる第２ボイラと、
前記第２ボイラで加熱された蒸気によって駆動する第２蒸気タービンと、
前記第２熱交換器と前記第２蒸気タービンとを接続し、前記第２ボイラで加熱された蒸気を前記第２蒸気タービンに導く第２蒸気配管と、を備える複合発電プラント。
【請求項２】
前記第１ボイラと前記第１蒸気タービンとは隣接して配置されている請求項１に記載の複合発電プラント。
【請求項３】
前記熱機関または燃料電池からの排ガスの熱によって前記第２蒸気タービンから排出された蒸気を加熱する第３熱交換器を有し、前記第１ボイラ及び前記第２ボイラとは異なる第３ボイラと、
前記第３ボイラで加熱された蒸気によって駆動する第３蒸気タービンと、
前記第３熱交換器と前記第３蒸気タービンとを接続し、前記第３ボイラで生成された蒸気を前記第３蒸気タービンに導く第３蒸気配管と、
前記熱機関または燃料電池からの排ガスの熱によって前記第３蒸気タービンから排出された蒸気を加熱する第４熱交換器を有し、前記第１ボイラ、前記第２ボイラ及び前記第３ボイラとは異なる第４ボイラと、
前記第４ボイラで加熱された蒸気によって駆動する第４蒸気タービンと、
前記第４熱交換器と前記第４蒸気タービンとを接続し、前記第４ボイラで生成された蒸気を前記第４蒸気タービンに導く第４蒸気配管と、を備える請求項２に記載の複合発電プラント。
【請求項４】
前記第１ボイラの入口側に配置され、前記第１熱交換器へ導かれる排ガスを加熱する第１助燃バーナと、
前記第２ボイラの入口側に配置され、前記第２熱交換器へ導かれる排ガスを加熱する第２助燃バーナと、を備えた請求項１から請求項３のいずれかに記載の複合発電プラント。
【手続補正２】
【補正対象書類名】明細書
【補正対象項目名】０００９
【補正方法】変更
【補正の内容】
【０００９】
上記課題を解決するために、本発明の複合発電プラントは以下の手段を採用する。
本発明の一態様に係る複合発電プラントは、１または複数の熱機関または燃料電池と、前記熱機関または燃料電池からの排ガスの熱によって蒸気を加熱する第１熱交換器及び前記第１熱交換器へ供給する蒸気を加熱する第１予熱器を有する第１ボイラと、前記第１ボイラで加熱された蒸気によって駆動する第１蒸気タービンと、前記第１熱交換器と前記第１蒸気タービンとを接続し、前記第１ボイラで加熱された蒸気を前記第１蒸気タービンに導く第１蒸気配管と、前記熱機関または燃料電池からの排ガスの熱によって前記第１蒸気タービンから排出された蒸気を加熱する第２熱交換器及び前記第１熱交換器へ供給する蒸気を加熱する第２予熱器を有し、前記第１ボイラとは異なる第２ボイラと、前記第２ボイラで加熱された蒸気によって駆動する第２蒸気タービンと、前記第２熱交換器と前記第２蒸気タービンとを接続し、前記第２ボイラで加熱された蒸気を前記第２蒸気タービンに導く第２蒸気配管と、を備えている。
【手続補正書】
【提出日】令和3年1月27日(2021.1.27)
【手続補正１】
【補正対象書類名】特許請求の範囲
【補正対象項目名】全文
【補正方法】変更
【補正の内容】
【特許請求の範囲】
【請求項１】
１官能基あたりの数平均分子量が１６５０以上であるポリエーテルポリオール（ＨＡ）と、１官能基あたりの数平均分子量が３００以下である１分子中に複数の活性水素基を有する活性水素基含有化合物（ＨＢ）とを含む複数種の活性水素基含有化合物（ＨＸ）と、１種以上のポリイソシアネート（Ｎ）との反応生成物である水酸基末端ウレタンプレポリマー（ＵＰＨ）と、
多官能イソシアネート化合物（Ｉ）とを含み、
１種以上の活性水素基含有化合物（ＨＸ）の有する活性水素基（Ｈ）の総モル数に対するポリイソシアネート（Ｎ）の有するイソシアネート基（ＮＣＯ）のモル数の比（ＮＣＯ／Ｈ）が０．２０〜０．８４であり、
１種以上のポリエーテルポリオール（ＨＡ）が３官能以上のポリエーテルポリオールを含む、粘着剤。
【請求項２】
可塑剤（Ｐ）の添加量が、水酸基末端ウレタンプレポリマー（ＵＰＨ）１００質量部に対して、０〜１０質量部である、請求項１に記載の粘着剤。
【請求項３】
水酸基末端ウレタンプレポリマー（ＵＰＨ）は、ポリエーテルポリオール（ＨＡ）とポリイソシアネート（Ｎ）との反応生成物であるイソシアネート基末端ウレタンプレポリマー（ＵＰＮ）と、活性水素基含有化合物（ＨＢ）との反応生成物である、請求項１または２に記載の粘着剤。
【請求項４】
１種以上のポリイソシアネート（Ｎ）がイソホロンジイソシアネートを含む、請求項１〜３のいずれか１項に記載の粘着剤。
【請求項５】
活性水素基含有化合物（ＨＢ）は１級水酸基を含む、請求項１〜４のいずれか１項に記載の粘着剤。
【請求項６】
さらに、酸化防止剤、耐加水分解剤、紫外線吸収剤、および光安定剤からなる群より選ばれた１種以上の変質防止剤を含む、請求項１〜５のいずれか１項に記載の粘着剤。
【請求項７】
さらに帯電防止剤を含む、請求項１〜６のいずれか１項に記載の粘着剤。
【請求項８】
基材シートと、請求項１〜７のいずれか１項に記載の粘着剤の硬化物からなる粘着層とを含む、粘着シート。
【請求項９】
１官能基あたりの数平均分子量が１６５０以上である１種以上のポリエーテルポリオール（ＨＡ）と１種以上のポリイソシアネート（Ｎ）とを、イソシアネート基過剰の割合で反応させてイソシアネート基末端ウレタンプレポリマー（ＵＰＮ）を生成する工程と、
得られたイソシアネート基末端ウレタンプレポリマー（ＵＰＮ）と１官能基あたりの数平均分子量が３００以下である１分子中に複数の活性水素基を有する１種以上の活性水素基含有化合物（ＨＢ）とを反応させる工程とを有し、
１種以上のポリエーテルポリオール（ＨＡ）が３官能以上のポリエーテルポリオールを含み、
１種以上の活性水素基含有化合物（ＨＸ）の有する活性水素基（Ｈ）の総モル数に対するポリイソシアネート（Ｎ）の有するイソシアネート基（ＮＣＯ）のモル数の比（ＮＣＯ／Ｈ）を０．２０〜０．８４とする、水酸基末端ウレタンプレポリマーの製造方法。
【手続補正書】
【提出日】令和3年3月24日(2021.3.24)
【手続補正１】
【補正対象書類名】明細書
【補正対象項目名】００１０
【補正方法】変更
【補正の内容】
【００１０】
上記目的を達成するために第１発明に係る電気錠は、錠筐体内に、デッドボルトがフロント板から突出する方向に付勢されたデッドボルトユニットと、ラッチボルトがフロント板から突出する方向に付勢されたラッチボルトユニットと、錠筐体の側板に垂直な方向を中心軸として回転することが可能に取り付けられている内側操作軸及び外側操作軸と、電気的手段を有するロックユニットに連結され、前記デッドボルトのロック解除を制御するために摺動するロックプレートと、前記外側操作軸と係合する外側ハンドルカムと、前記内側操作軸と係合する内側ハンドルカムとを備え、前記外側ハンドルカム及び前記内側ハンドルカムは、前記デッドボルトユニットと連結されているハンドルカムユニットと連結されており、前記ラッチボルトユニットが前記ハンドルカムユニットの動作によりロック解除を制御される電気錠であって、前記ロックプレートは前記外側ハンドルカムにのみ係合しており、前記ロックプレートの摺動により前記外側ハンドルカムが前記ロックプレートにかみ合うか否かを制御し、前記外側ハンドルカムと前記ロックプレートとがかみ合う場合に前記外側操作軸がロックされることを特徴とする。
【手続補正２】
【補正対象書類名】特許請求の範囲
【補正対象項目名】全文
【補正方法】変更
【補正の内容】
【特許請求の範囲】
【請求項１】
錠筐体内に、
デッドボルトがフロント板から突出する方向に付勢されたデッドボルトユニットと、
ラッチボルトがフロント板から突出する方向に付勢されたラッチボルトユニットと、
錠筐体の側板に垂直な方向を中心軸として回転することが可能に取り付けられている内側操作軸及び外側操作軸と、
電気的手段を有するロックユニットに連結され、前記デッドボルトのロック解除を制御するために摺動するロックプレートと、
前記外側操作軸と係合する外側ハンドルカムと、
前記内側操作軸と係合する内側ハンドルカムと
を備え、
前記外側ハンドルカム及び前記内側ハンドルカムは、前記デッドボルトユニットと連結されているハンドルカムユニットと連結されており、前記ラッチボルトユニットが前記ハンドルカムユニットの動作によりロック解除を制御される電気錠であって、
前記ロックプレートは前記外側ハンドルカムにのみ係合しており、前記ロックプレートの摺動により前記外側ハンドルカムが前記ロックプレートにかみ合うか否かを制御し、前記外側ハンドルカムと前記ロックプレートとがかみ合う場合に前記外側操作軸がロックされることを特徴とする電気錠。
【請求項２】
前記内側ハンドルカム及び前記外側ハンドルカムを取り換えて、それぞれ反対側に取り付けることが可能であることを特徴とする請求項１に記載の電気錠。
【手続補正書】
【提出日】令和3年10月4日(2021.10.4)
【手続補正１】
【補正対象書類名】特許請求の範囲
【補正対象項目名】全文
【補正方法】変更
【補正の内容】
【特許請求の範囲】
【請求項１】
縦管接続部と横管接続部を有する上部接続管と、
前記上部接続管に接続され、上方よりも下方が縮径された管状をなす下部接続管と、を備えた集合継手の遮音カバーであって、
前記遮音カバーは、
前記下部接続管の外周に配置される管体と、
管状に変形させられた状態で前記下部接続管と前記管体の間に配置されるシート体と、を備え、
前記管体は、上管部と、前記上管部の下端部に連なり、下方に向かうに従って縮径しているテーパ部と、を有し、弾性を備えた樹脂材料により前記上管部と前記テーパ部が一体成型され、
前記シート体は、前記上管部内に配置される第１領域と、前記テーパ部内に配置される第２領域と、を備え、
展開した状態の前記シート体において、
前記シート体の軸方向の下側の端縁は、軸方向の上側に向けて凸となる円弧状に形成され、
かつ、
前記第１領域の周方向の両側に位置する一対の第１周端縁が軸方向の仮想線に対してなす傾斜角度よりも、前記第２領域の周方向の両側に位置する一対の第２周端縁が軸方向の仮想線に対してなす傾斜角度のほうが大きい、遮音カバー。
【請求項２】
縦管接続部と横管接続部を有する上部接続管と、
前記上部接続管に接続され、上方よりも下方が縮径された管状をなす下部接続管と、を備えた集合継手の遮音カバーであって、
前記遮音カバーは、
前記下部接続管の外周に配置される管体と、
管状に変形させられた状態で前記下部接続管と前記管体の間に配置されるシート体と、を備え、
前記管体は、上管部と、前記上管部の下端部に連なり、下方に向かうに従って縮径しているテーパ部と、を有し、弾性を備えた樹脂材料により前記上管部と前記テーパ部が一体成型され、
展開した状態の前記シート体において、
前記シート体の軸方向の下側の端縁は、軸方向の上側に向けて凸となる円弧状に形成され、
かつ、
前記シート体の周方向の両側に位置する一対の周端縁は、軸方向の下方に向かうにしたがって前記シート体の周方向の幅が小さくなるよう、軸方向の仮想線に対して傾斜している、遮音カバー。
【請求項３】
前記遮音カバーの上端部内には、前記上部接続管の下端部が配置されている、請求項１または２に記載の遮音カバー。
【請求項４】
前記管体の内周面には、前記シート体の前記管体に対する移動を規制する係止部が設けられている、請求項１から３のいずれか１項に記載の遮音カバー。
【請求項５】
前記管体は、前記テーパ部の下端部に連なる下管部を備え、
前記係止部は前記下管部に設けられている、請求項４に記載の遮音カバー。
【請求項６】
前記下部接続管は、前記上部接続管に接続される接続管部と、前記接続管部の下方に接続される傾斜管部と、前記傾斜管部の下方に接続され、前記接続管部の外径よりも小さく、かつ前記傾斜管部における下端部の外径よりも大きな外径の下側管部と、を備え、
前記シート体の下端および前記係止部は、前記下側管部の外周に配置されている、請求項４または５に記載の遮音カバー。
【請求項７】
請求項１から６のいずれか１項に記載の遮音カバーを備えるカバー付き集合継手。
【請求項８】
請求項１から６のいずれか１項に記載の遮音カバーを備える集合継手の遮音構造であって、
前記上部接続管の径方向の外側から巻きつけられる上部遮音カバーを備え、
前記上部遮音カバーの下端部は、前記遮音カバーの上端部に径方向の外側から巻き付けられている、遮音構造。
【手続補正２】
【補正対象書類名】明細書
【補正対象項目名】発明の名称
【補正方法】変更
【補正の内容】
【発明の名称】遮音カバー、カバー付き集合継手および遮音構造
【手続補正書】
【提出日】令和3年3月19日(2021.3.19)
【手続補正１】
【補正対象書類名】特許請求の範囲
【補正対象項目名】請求項１
【補正方法】変更
【補正の内容】
【請求項１】
給水配管において開閉弁が閉じている時に一次側流路内に滞留した水が凍結するのを防止するための凍結防止機構であって、
略筒状をなしかつ片面が一次側流路内に臨むように配された第１端壁および一次側流路外に配された第２端壁を有している中空室と、第１端壁に一次側流路内と中空室内とを連通させるように形成された水導入孔と、第１端壁の他面における水導入孔の周縁部に形成された副弁座と、中空室の周壁または第２端壁に中空室内と外部空間とを連通させるように形成された水導出孔と、中空室内にその長さ方向に移動自在に収容された移動体と、移動体における第１端壁側の端に設けられかつ移動体が中空室の長さ方向に移動することによって副弁座に対して当接離間させられる副弁体と、移動体を第２端壁側に向かって付勢する第１スプリングと、形状記憶合金よりなりかつ移動体を第１端壁側に向かって付勢する第２スプリングとが備えられており、第２スプリングは、周囲温度が氷点付近の所定温度よりも高い時には、第１スプリングのばね弾性力に抗して移動体を第１端壁側に移動させて副弁体を副弁座に当接させる一方、周囲温度が前記所定温度以下となった時には、第１スプリングのばね弾性力により移動体が第２端壁側に移動させられて副弁体が副弁座から離間させられるように収縮方向に変形するものであり、
移動体は、略有底筒状となされていて、その第２端壁側の端または長さ中間位置に径方向外方に突出したスプリング受け部を有しており、第１スプリングは、移動体の外側においてスプリング受け部と第１端壁との間に介在されており、第２スプリングは、移動体の内側において移動体の底部と第２端壁との間に介在されている、給水配管の凍結防止機構。
【手続補正２】
【補正対象書類名】明細書
【補正対象項目名】００１３
【補正方法】変更
【補正の内容】
【００１３】
１）給水配管において開閉弁が閉じている時に一次側流路内に滞留した水が凍結するのを防止するための凍結防止機構であって、
略筒状をなしかつ片面が一次側流路内に臨むように配された第１端壁および一次側流路外に配された第２端壁を有している中空室と、第１端壁に一次側流路内と中空室内とを連通させるように形成された水導入孔と、第１端壁の他面における水導入孔の周縁部に形成された副弁座と、中空室の周壁または第２端壁に中空室内と外部空間とを連通させるように形成された水導出孔と、中空室内にその長さ方向に移動自在に収容された移動体と、移動体における第１端壁側の端に設けられかつ移動体が中空室の長さ方向に移動することによって副弁座に対して当接離間させられる副弁体と、移動体を第２端壁側に向かって付勢する第１スプリングと、形状記憶合金よりなりかつ移動体を第１端壁側に向かって付勢する第２スプリングとが備えられており、第２スプリングは、周囲温度が氷点付近の所定温度よりも高い時には、第１スプリングのばね弾性力に抗して移動体を第１端壁側に移動させて副弁体を副弁座に当接させる一方、周囲温度が前記所定温度以下となった時には、第１スプリングのばね弾性力により移動体が第２端壁側に移動させられて副弁体が副弁座から離間させられるように収縮方向に変形するものであり、
移動体は、略有底筒状となされていて、その第２端壁側の端または長さ中間位置に径方向外方に突出したスプリング受け部を有しており、第１スプリングは、移動体の外側においてスプリング受け部と第１端壁との間に介在されており、第２スプリングは、移動体の内側において移動体の底部と第２端壁との間に介在されている、給水配管の凍結防止機構。